(57)【特許請求の範囲】
【請求項１】
庫本体の正面開口部における左右の各側縁部に基端部を前後方向へ回動可能に組付けた左右一対の開閉扉を備え、これら各開閉扉は裏面側に、同開閉扉に直接取付けられて同開閉扉の上端部、基端部および下端部間にてコ字状に延びる第１のドアパッキンと、同開閉扉の裏面側に組付けた支持部材に支持されて同開閉扉の回動端部に沿って上下に延びる第２のドアパッキンを備え、前記第１のドアパッキンの上下の各先端部と前記第２のドアパッキンの上下の各先端部が可撓性の上下の各連結部材を介して互いに連結されていて、これら両開閉扉の閉鎖時、前記第１のドアパッキンが前記庫本体の正面開口部における上縁部、側縁部および下縁部に当接するとともに前記第２のドアパッキンが互いに当接して、前記庫本体の正面開口部が気密的に閉鎖される形式の観音開き式貯蔵庫であり、前記第２のドアパッキンは、マグネットが埋設されている可撓性の筒状本体と、同筒状本体に連結し前記支持部材の取付孔に挿入されて支持される柱状で前記筒状本体より硬質の脚部を備え、前記上側連結部材は、前記第１のドアパッキンの上側先端部の先端面に固着される基部と、同基部の上方から先端方向に突出する第１カバー部と、前記基部の先端側にて前記第１カバーの左右から下方へ並列して延びる第２，第３カバー部を備え、かつ、前記下側連結部材は、前記第１のドアパッキンの下側先端部の先端面に固着される基部と、同基部の下方から先端方向に突出する第１カバー部と、前記基部の先端側にて前記第１カバーの左右から上方へ並列して延びる第２，第３カバー部を備え、前記第２のドアパッキンは、前記脚部の上側先端部を前記上側連結部材の第２，第３カバー間にかつ同脚部の下側先端部を前記下側連結部材の第２，第３のカバー間に挿入されてこれら各連結部材に連結されていて、前記第２のドアパッキンの上側先端部および下側先端部の各端面が前記各連結部材の第１カバー部にて覆蓋されていることを特徴とする観音開き式貯蔵庫。
【請求項２】
請求項１に記載の観音開き式貯蔵庫において、前記各連結部材は前記第２，第３カバー部の一方にて、前記第２のドアパッキンの脚部の上側先端部または下側先端部と前記庫本体の正面開口部の上縁部または下縁部との直接的な当接を規制していることを特徴とする観音開き式貯蔵庫。
【請求項３】
請求項１に記載の観音開き式貯蔵庫において、前記各連結部材の第１カバー部は開閉扉の開閉方向に可撓性に構成されていて、前記開閉扉の閉鎖時の衝撃を吸収し、かつ、前記庫本体の正面開口部の上縁部または下縁部との気密性を確保していることを特徴とする観音開き式貯蔵庫。
【発明の詳細な説明】
【０００１】
【発明の属する技術分野】
本発明は、観音開き式の冷蔵庫、冷凍庫、温蔵庫等、観音開き式貯蔵庫に関する。
【０００２】
【従来の技術】
観音開き式貯蔵庫は、その一例である観音開き式冷蔵庫にみられるように、庫本体の正面開口部における左右の各側縁部に基端部を前後方向へ回動可能に組付けた左右一対の開閉扉を備える形式のものである。当該形式の貯蔵庫においては、各開閉扉の裏面側に、同開閉扉に直接取付けられて同開閉扉の上端部、基端部および下端部間にてコ字状に延びる第１のドアパッキンと、同開閉扉の裏面側に組付けた支持部材に支持されて同開閉扉の回動端部に沿って上下に延びる第２のドアパッキンを備えていて、これら両開閉扉の閉鎖時、第１のドアパッキンが前記庫本体の正面開口部における上縁部、側縁部および下縁部に当接するとともに第２のドアパッキンが互いに対向端面にて当接して、前記庫本体の正面開口部を気密的に閉鎖するように構成されている。
【０００３】
【発明が解決しようとする課題】
ところで、当該形式の観音開き式貯蔵庫においては、第１のドアパッキンの上下の各先端部と第２のドアパッキンの上下の各先端部とを互いに連結して、両ドアパッキンのこれらの先端部間からの庫本体の内気の外部への漏洩、外気の庫本体内への侵入を確実に防止する必要がある。このため、両ドアパッキンの先端部を連結部材を介して連結することが好ましい。しかしながら、この場合、連結部間での気密性が確実に保持されなければならず、かつ、両先端部と庫本体の正面開口部の縁部との間で気密性が確実に保持されなければならない。
【０００４】
従って、本発明の目的は、両ドアパッキンの先端部と庫本体間での気密性の保持を確実にして、庫本体内からの内気の外部への漏洩、外気の庫本体内への侵入を確実に防止することにある。
【０００５】
【課題を解決するための手段】
本発明は、観音開き式の冷蔵庫、冷凍庫、温蔵庫等、観音開き式貯蔵庫に関する。本発明は、庫本体の正面開口部における左右の各側縁部に基端部を前後方向へ回動可能に組付けた左右一対の開閉扉を備え、これら各開閉扉の裏面側に、同開閉扉に直接取付けられて同開閉扉の上端部、基端部および下端部間にてコ字状に延びる第１のドアパッキンと、同開閉扉の裏面側に組付けた支持部材に支持されて同開閉扉の回動端部に沿って上下に延びる第２のドアパッキンを備え、前記第１のドアパッキンの上下の各先端部と前記第２のドアパッキンの上下の各先端部が可撓性の上下の各連結部材を介して互いに連結されていて、これら両開閉扉の閉鎖時、前記第１のドアパッキンが前記庫本体の正面開口部における上縁部、側縁部および下縁部に当接するとともに前記第２のドアパッキンが互いに当接して、前記庫本体の正面開口部が気密的に閉鎖される形式の観音開き式貯蔵庫を適用対象とするものである。
【０００６】
しかして、本発明に係る観音開き式貯蔵庫は、上記して形式の観音開き式貯蔵庫であって、前記第２のドアパッキンは、マグネットが埋設されている可撓性の筒状本体と、同筒状本体に連結し前記支持部材の取付孔に挿入されて支持される柱状で前記筒状本体より硬質の脚部を備え、前記上側連結部材は、前記第１のドアパッキンの上側先端部の先端面に固着される基部と、同基部の上方から先端方向に突出する第１カバー部と、前記基部の先端側にて前記第１カバーの左右から下方へ並列して延びる第２，第３カバー部を備え、かつ、前記下側連結部材は、前記第１のドアパッキンの下側先端部の先端面に固着される基部と、同基部の下方から先端方向に突出する第１カバー部と、前記基部の先端側にて前記第１カバーの左右から上方へ並列して延びる第２，第３カバー部を備え、前記第２のドアパッキンは、前記脚部の上側先端部を前記上側連結部材の第２，第３のカバー間にかつ同脚部の下側先端部を前記下側連結部材の第２，第３のカバー間に挿入されてこれら各連結部材に連結されていて、前記第２のドアパッキンの上側先端部および下側先端部の各端面が前記各連結部材の第１カバー部にて覆蓋されていることを特徴とするものである。
【０００７】
本発明に係る観音開き式貯蔵庫においては、前記各連結部材は前記第２，第３カバー部の一方にて、前記第２のドアパッキンの脚部の上側先端部または下側先端部と前記庫本体の正面開口部の上縁部または下縁部との直接的な当接を規制する構成とすることができる。
【０００８】
また、本発明に係る観音開き式貯蔵庫においては、前記各連結部材の第１カバー部は開閉扉の開閉方向に可撓性に構成されていて、前記開閉扉の閉鎖時の衝撃を吸収し、かつ、前記庫本体の正面開口部の上縁部または下縁部との気密性を確保するようにすることができる。
【０００９】
【発明の作用・効果】
本発明に係る観音開き式貯蔵庫においては、開閉扉の裏面側に備える第１のドアパッキンの上下の各先端部と第２のドアパッキンの上下の各先端部とを、第１のドアパッキンの上下の各先端部に固定されて第２のドアパッキンの上下の各先端部の一部を覆蓋して保護する連結部材にて互いに連結させている。
【００１０】
しかして、本発明に係る観音開き式貯蔵庫においては、特に、第２のドアパッキンが、マグネットが埋設されている可撓性の筒状本体と、筒状本体に連結し支持部材の取付孔に挿入されて支持される柱状で筒状本体より硬質の脚部を備える構成で、連結部材は第２のドアパッキンの脚部における支持部材から突出する先端部を覆蓋する第２，第３カバー部を備えた構成とし、第２のドアパッキンの脚部の先端部と庫本体の正面開口部の上縁部または下縁部との直接的な当接を規制させている。これにより、第２のドアパッキンを構成する脚部の先端部が庫本体の正面開口部の縁部に直接当接することに起因して損傷を生じることはなく、第２のドアパッキンの脚部の先端部の損傷に起因する気密性の保持機能の低下を防止することができる。
【００１１】
また、本発明に係る観音開き式貯蔵庫において、連結部材を、第２のドアパッキンの上下の各先端部における端面を覆蓋する開閉方向に可撓性の第１カバー部を備えた構成とし、同カバーが開閉扉の閉鎖時の連結部材や両ドアパッキンに対する衝撃を吸収し、かつ、庫本体の正面開口部の上縁部または下縁部に対する気密性の保持機能を確実なものとする。この場合、連結部材の第１カバー部を、開閉方向の幅全体が可撓性になるように形成する構成や、開閉方向の前記庫本体側が可撓性になるように構成とすることができる。
【００１２】
【発明の実施の形態】
以下、本発明を図面に基づいて説明する。図１は、本発明に係る観音開き式貯蔵庫の一例である観音開き式冷蔵庫が示されている。当該冷蔵庫は、上下２段の正面開口部１１，１２を有する庫本体１０と、庫本体１０の上側の正面開口部１１を開閉する左右一対の上側の開閉扉２０ａ，２０ｂと、庫本体１０の下側の正面開口部１２を開閉する左右一対の下側の開閉扉２０ｃ，２０ｄを備えている。各開閉扉２０ａ〜２０ｄは、その基端部を、庫本体１０の正面開口部１１，１２の左右の各側縁部にそれぞれ前後方向へ回動可能に組付けられているもので、これらの４枚の開閉扉２０ａ〜２０ｄの開閉操作により、庫本体１０の両正面開口部１１，１２の一部または全部が選択的に開放され、かつ閉鎖される。
【００１３】
これらの４枚の開閉扉２０ａ〜２０ｄにおいては、左右または上下対象に形成されている点を除き、実質的に同一の構造に構成されている。従って、以下では、開閉扉２０ａ〜２０ｄの構成上の説明については開閉扉２０として説明し、各開閉扉２０ａ〜２０ｄの相互関係についての説明においては、各開閉扉２０ａ〜２０ｄを区別して説明する。
【００１４】
開閉扉２０は、図１〜図３に示すように、扉本体２１、第１ドアパッキン２２、第２ドアパッキン２３、放熱板２４、支持部材２５、およびヒータ２６ａにて構成されている。庫本体２１は、合成樹脂製のインナパネル２１ａと、金属製のアウタパネル２１ｂと、これら両パネル２１ａ，２１ｂ間の空間部に充填された断熱材２１ｃからなるもので、庫本体２１の裏面における周縁部に第１ドアパッキン２２が直接組付けられているとともに、庫本体２１の裏面における回動端部側に第２ドアパッキン２３が支持部材２５を介して組付けられている。
【００１５】
第１ドアパッキン２２は、合成樹脂製で可撓性の筒状本体にマグネットを内蔵しているもので、扉本体２１の上端部、基端部および下端部間にてコ字状に延びている。第１ドアパッキン２２においては、その上端部の先端が扉本体２１の回動端部の上端部に臨み、かつ、その下端部の先端が扉本体２１の回動端部の下端部に臨んでいる。第２ドアパッキン２３は、支持部材２５を介して組付けられた状態においては、扉本体２１の回動端部に沿って、回動端部の外側端面から外側へわずかに突き出た状態で上下方向に延びている。第２ドアパッキン２３においては、その上端部の先端が扉本体２１の回動端部の上端部に臨み、かつ、その下端部の先端が扉本体２１の回動端部の下端部に臨んでいる。
【００１６】
かかる構成の開閉扉２０においては、その閉鎖時には、第１ドアパッキン２２は庫本体１０の正面開口部の周縁部に当接する。上側の両開閉扉２０ａ，２０ｂの閉鎖時には、両開閉扉２０ａ，２０ｂの第１ドアパッキン２２が上側の正面開口部１１の周縁部に当接するとともに、両第２ドアパッキン２３が対向面にて互いに密着し、両開閉扉２０ａ，２０ｂ間が密閉されて庫本体２１の上側の正面開口部１１が気密的に閉鎖される。これにより、庫本体２１の上側の収納室が気密的に閉鎖される。同様に、下側の両開閉扉２０ｃ，２０ｄの閉鎖時には、両開閉扉２０ｃ，２０ｄの第１ドアパッキン２２が下側の正面開口部１２の周縁部に当接するとともに、両第２ドアパッキン２３が対向面にて互いに密着し、両開閉扉２０ｃ，２０ｄ間が密閉されて、庫本体２１の下側の正面開口部１２が気密的に閉鎖される。これにより、庫本体２１の下側の収納室が気密的に閉鎖される。
【００１７】
しかして、第２ドアパッキン２３は、図３〜図６に示すように、筒状本体２３ａと、柱状の脚部２３ｂと、これらを連結する連結部２３ｃと、筒状本体２３ａに埋設されているマグネット２３ｄとからなるもので、筒状本体２３ａおよび連結部２３ｃは軟質の合成樹脂にて形成され、かつ、脚部２３ｂは硬質の合成樹脂にて形成されている。筒状本体２３ａ、柱状の脚部２３ｂ、および連結部２３ｃは、押し出し成形により一体的に成形されている。筒状本体２３ａは弾性で可撓性の筒状を呈し、かつ、脚部２３ｃは剛性の柱状を呈するもので、筒状本体２３ａはそれ自体または連結部２３ｃを介して左右に伸縮可能であるとともに、前後方向へ揺動可能である。第２ドアパッキン２３は、支持部材２５に支持されて開閉扉２０の扉本体２１の裏面側に組付けられる。
【００１８】
支持部材２５は合成樹脂製のもので、所定幅で所定長さの平板部２５ａと、平板部２５ａの先端部に設けたパッキン支持部２５ｂと、平板部２５ａの中央部に設けた取付凹部２５ｃとからなり、取付凹部２５ｃは蓋体２５ｄにて覆蓋されるように形成されている。支持部材２５は、取付凹部２５ｃにて放熱板２４を介在させた状態で、ネジ２５ｅにより固定されて開閉扉２０の扉本体２１の裏面側に取付けられている。パッキン支持部２５ｂは、その全長に延びる挿入溝２５ｂ1およびカバー部２５ｂ2を具備している。第２ドアパッキン２３においては、その脚部２３ｂを支持部材２５におけるパッキン支持部２５ｂの挿入溝２５ｂ1に挿入された状態で支持部材２５に支持されているとともに、その筒状本体２３ａがパッキン支持部２５ｂのカバー部２５ｂ2にて背部側から覆蓋されている。
【００１９】
第２ドアパッキン２３のこの支持状態では、図６に示すように、第２ドアパッキン２３の上側の先端部が支持部材２５から所定量上方へ突出している。第２ドアパッキン２３の下側の先端部も同様に、支持部材２５から所定量下方へ突出している。第２ドアパッキン２３の先端部は、連結部材２７を介して第１ドアパッキン２２の先端部に連結されている。
【００２０】
連結部材２７は合成樹脂製で可撓性のものであって、図６および図７に示すように側面逆Ｌ字状を呈していて、後壁を共通の基部２７ａとして、基部２７ａの上部から前方に延びる水平板状の第１カバー部２７ｂと、基部２７ａの左右の各側部から下方かつ前方に延びる垂直板状の第２カバー部２７ｃおよび第３カバー部２７ｄを備えているとともに、第１カバー部２７ｂの上面側にて前後に延びる長方形の頭部２７ｅと、頭部２７ｅの一側角部から斜め上方へ突出する把持片２７ｆを備えている。
【００２１】
連結部材２７を構成する基部２７ａは、第１ドアパッキン２２の先端面と略同一の形状を呈するもので、基部２７ａを第１ドアパッキン２２の先端面に接着することにより、連結部材２７は第１ドアパッキン２２の先端に固定されている。第１カバー部２７ｂにおいては、その下面側の中央部に凹所２７ｂ1が形成されていて、幅方向に可撓性が大きくなるように形成されているとともに、その内側端面２７ｂ2が傾斜状に形成されていて、内側端面２７ｂ2の先端部が変形し易くなっている。また、第２カバー部２７ｃと第３カバー部２７ｄ間の幅は、第２ドアパッキン２３を構成する脚部２３ｂが挿入される間隔に形成されていて、支持部材２５に支持されて扉本体２１の裏面に組付けられている第２ドアパッキン２３の脚部２３ｂの先端部が両カバー部２７ｃ，２７ｄの間に挿入されている。
【００２２】
これにより、連結部材２７は、第２ドアパッキン２３の先端部を第１ドアパッキン２２の先端部に連結していて、第１カバー部２７ｂが第２ドアパッキン２３の先端面を筒状本体２３ａの前端側をわずかに残して覆蓋し、かつ、第２カバー部２７ｃと第３カバー部２７ｄが第２ドアパッキン２３の脚部２３ｂの各側部を覆蓋している。特に、第２カバー部２７ｃは、第２ドアパッキン２３の脚部２３ｂにおける支持部材２５の上下各端部から突出している内側側部の全体を覆蓋している。
【００２３】
なお、開閉扉２０における支持部材２５の取付部位は、図３に示すように、インナパネル２１ａに設けた取付凹部２１ｄにて形成されていて、この取付凹部２１ｄには金属製の放熱板２４が固定されており、この放熱板２４を介して支持部材２５が取付けられている。支持部材２５は、その平板部２５ａの内面に断熱材片２５ｆを貼着された状態で、インナパネル２１ａの取付凹部２１ｄに嵌合されていて、その取付凹部２５ｃの底部表面を取付凹部２１ｄ内の放熱板２４の表面に当接させた状態でネジ２５ｅ止めされている。支持部材２５の取付凹部２５ｃには、その開口部に蓋体２５ｄが嵌合されていて、蓋体２５ｄは取付凹部２５ｃの開口部を閉塞している。
【００２４】
蓋体２５ｄは断面コ字状を呈するもので、その裏面に断熱材片２５ｆを貼着された状態で、支持部材２５の取付凹部２５ｃに液密的に嵌着されており、これにより、取付凹部２５ｃの開口部を閉塞しているとともに、同開口部を平板部２５ａと同一平面に形成している。これにより、ネジ２５ｅは、蓋体２５ｄと取付凹部２５ｃが形成する空間部に収容されて、外部へ露出するのを防止されている。
【００２５】
この空間部には、ヒータ２６ａを電源に接続するためのリード線２６ｂが配線されているとともに、支持部材２５と放熱板２４が形成する空間部には、ヒータ２６ａが配線されている。ヒータ２６ａは、放熱板２４に当接して配線されている。また、放熱板２４の先端部２４ａは、インナパネル２１ａの取付凹部２１ｄから側方へ突出していて、支持部材２５に支持したドアパッキン２３の筒状本体２３ａの前側に位置している。このリード線２６ｂの配線構造によれば、リード線２６ｂの金属製の放熱板２４を介する金属製のアウタパネル２１ｂへの接続が遮断されている。
【００２６】
このように構成した観音開き式冷蔵庫においては、上側の両開閉扉２０ａ，２０ｂを閉鎖した状態では、両開閉扉２０ａ，２０ｂの扉本体２１に設けた第１ドアパッキン２２が庫本体１０の上側の正面開口部１１の周縁部に当接して密着するとともに、第２ドアパッキン２３同士が当接して密着する。これにより、上側の正面開口部１１が密閉されて、上側の収納室は気密的に閉鎖される。同様に、下側の両開閉扉２０ｃ，２０ｄを閉鎖した状態では、両開閉扉２０ｃ，２０ｄの扉本体２１に設けた第１ドアパッキン２２が庫本体１０の上側の正面開口部１２の周縁部に当接して密着するとともに、第２ドアパッキン２３同士が当接して密着する。これにより、下側の正面開口部１２が密閉されて、下側の収納室は気密的に閉鎖される。
【００２７】
図５は、左側の開閉扉２０ａを閉鎖した状態で右側の開閉扉２０ｂを閉鎖する状態を模式的に示すもので、同図（ａ）は両開閉扉２０ａ，２０ｂが閉鎖した状態、同図（ｂ）は右側の開閉扉２０ｂが閉鎖直前の状態、同図（ｃ）は右側の開閉扉２０ｂがさらに閉鎖する前の状態を状態を示している。
【００２８】
図５（ａ）に示すように、両開閉扉２０ａ，２０ｂが閉鎖した状態においては、両開閉扉２０ａ，２０ｂに設けた各ドアパッキン２３は、支持部材２５のカバー部２５ｂ2と放熱板２４の先端部２４ａによりそれらの前側および後側から覆蓋されていて、ヒータ２６ａから放熱板２４を介して伝達される熱によって凍結および結露を防止されている。また、両開閉扉２０ａ，２０ｂの第２ドアパッキン２３は筒状本体２３ａの対向面にて互いに密着して、庫本体１０の正面開口部１１からの冷気の漏洩、外部の空気の侵入を防止している。
【００２９】
図５（ｃ）は、左側の開閉扉２０ａを閉鎖した後に、右側の開閉扉２０ｂを閉鎖しようとする場合で、開閉扉２０ｂが後方へ回動されて、開閉扉２０ｂに設けた第２ドアパッキン２３が同図（ｂ）に示すように開閉扉２０ａに設けた第２ドアパッキン２３に近接すると、両ドアパッキン２３は両マグネット２３ｄのＮ極−Ｎ極が対向して反発し合うが、同図（ａ）に示すように開閉扉２０ｂが完全に閉鎖された状態では、両マグネット２３ｄのＮ極−Ｓ極が引き合って密着し、庫本体１０は密閉される。
【００３０】
このように、当該観音開き式冷蔵庫においては、全ての開閉扉２０ａ〜２０ｄを閉鎖することにより、庫本体１０を密閉状態に確実に閉鎖することができるとともに、各第２ドアパッキン２３の凍結、結露を防止し、かつ、外部から庫本体１０内への外気の侵入、および庫本体１０内からの冷気の外部への漏洩を防止することができる。
【００３１】
しかして、当該観音開き式冷蔵庫においては、開閉扉２０の裏面に備える第１ドアパッキン２２の上下の各先端部と第２ドアパッキン２３の上下の各先端部とを、第１ドアパッキン２２の上下の各先端部に固定されて第２ドアパッキン２３の上下の各先端部の一部を覆蓋して保護する連結部材２７にて互いに連結させている。
【００３２】
特に、第２ドアパッキン２３は、マグネット２３ｄが埋設されている可撓性の筒状本体２３ａと、筒状本体２３ａに連結して支持部材２５の挿入溝２５ｂ1に挿入されて支持される硬質の脚部２３ｂを具備し、一方、連結部材２７は、第２ドアパッキン２３の脚部２３ｂにおける支持部材２５から突出する先端部を覆蓋する第２カバー部２７ｃを具備していて、第２カバー部２７ｃが第２ドアパッキン２３の脚部２３ｂの先端部と庫本体１０の正面開口部１１，１２の上縁部または下縁部との直接的な当接を規制している。これにより、第２ドアパッキン２３を構成する脚部２３ｂの先端部が庫本体１０の正面開口部１１，１２の縁部に直接当接することに起因する損傷が防止され、第２ドアパッキン２３の脚部２３ｂの先端部の損傷に起因する気密性の保持機能の低下を防止することができる。
【００３３】
また、連結部材２７においては、第２ドアパッキン２３の上下の各先端部における端面を覆蓋する第１カバー部２７ｂを具備している。第１カバー部２７ｂは、幅方向の可撓性が大きく形成されているとともに、その内側端面２７ｂ2が傾斜状に形成されていて、内側端面２７ｂ2の先端部が変形し易くなっている。このため、第１カバー部２７ｂは、開閉扉２０の閉鎖時、連結部材２７および第１，第２両ドアパッキン２２，２３に対する衝撃を吸収し、かつ、庫本体１０の正面開口部の１１，１２上縁部または下縁部に対する気密性の保持機能を確実なものとする。
【図面の簡単な説明】
【図１】本発明に係る観音開き式冷蔵庫の一例を示す正面図である。
【図２】同冷蔵庫を構成する左右の開閉扉の閉鎖状態を示す背面図である。
【図３】同冷蔵庫を構成する右側の開閉扉の一部切欠き部分平面図である。
【図４】同冷蔵庫を構成する左側の開閉扉に取付けられる第２ドアパッキンの横断面図である。
【図５】同冷蔵庫の左右の開閉扉を閉鎖する状態を示す模式的な説明図である。
【図６】同冷蔵庫における第１，第２ドアパッキンの連結部位を示す開閉扉の部分背面図である。
【図７】同冷蔵庫における第１，第２ドアパッキンの先端部を連結する連結部材の側面図（ａ）、平面図（ｂ）、底面図（ｃ）、および正面図（ｄ）である。
【符号の説明】
１０…庫本体、１１，１２…正面開口部、２０（２０ａ，２０ｂ，２０ｃ，２０ｄ）…開閉扉、２１…扉本体、２１ａ…インナパネル、２１ｂ…アウタパネル、２１ｃ…断熱材、２１ｄ…取付凹部、２２…第１ドアパッキン、２３…第２ドアパッキン、２３ａ…筒状本体、２３ｂ…脚部、２３ｃ…連結部、２３ｄ…マグネット、２４…放熱板、２４ａ…先端部、２５…支持部材、２５ａ…平板部、２５ｂ…パッキン支持部、２５ｂ1…挿入溝、２５ｂ2…カバー部、２５ｃ…取付凹部、２５ｄ…蓋体、２５ｅ…ネジ、２５ｆ…断熱材片、２６ａ…ヒータ、２６ｂ…リード線、２７…連結部材、２７ａ…基部、２７ｂ…第１カバー部、２７ｂ1…凹所、２７ｂ2…内側端面、２７ｃ…第２カバー部、２７ｄ…第３カバー部、２７ｅ…頭部、２７ｆ…把持部。
【図１】
0003683457.tif 000002
【図２】
0003683457.tif 000003
【図３】
0003683457.tif 000004
【図４】
0003683457.tif 000005
【図５】
0003683457.tif 000006
【図６】
0003683457.tif 000007
【図７】
0003683457.tif 000008